(57)【要約】【課題】  小型でありながらも、幅広い帯域の放送を受信可能なアンテナ装置を提供する。【解決手段】  チューナ２２を備えた出力機器本体２で生成された音響信号を、ケーブル部４を介してレシーバ１０、１１に伝送し、レシーバ１０、１１にて音響信号を音響に変換して出力する音響出力機器１において、ケーブル部４を用いて電波を受信し、得られた高周波信号を出力機器本体２に伝送するアンテナ装置であって、ケーブル部４は、複数の信号線１４、１５、１６を組み合わせて構成され、複数の信号線１４、１５、１６の長さがそれぞれ設定され、複数の信号線１４、１５、１６のそれぞれで受信可能な電波の周波数帯域が調節されているアンテナ装置。【選択図】        図２
2007089050.tif 000002
【特許請求の範囲】
【請求項１】
チューナを備えた出力機器本体で生成された音響信号を、ケーブル部を介してレシーバに伝送し、前記レシーバにて前記音響信号を音響に変換して出力する音響出力機器において、
前記ケーブル部を用いて電波を受信し、得られた高周波信号を前記出力機器本体に伝送するアンテナ装置であって、
前記ケーブル部は、複数の信号線を組み合わせて構成され、
前記複数の信号線の長さがそれぞれ設定され、前記複数の信号線のそれぞれで受信可能な電波の周波数帯域が調節されているアンテナ装置。
【請求項２】
前記レシーバは、第１レシーバと第２レシーバとで構成され、
前記ケーブル部は、アンテナとして機能し、それぞれ長さが異なる第１信号線と第２信号線と第３信号線とを備えており、
前記第１信号線は、前記出力機器本体と前記第１レシーバとの間に接続され、
前記第２信号線は、前記出力機器本体と前記第２レシーバとの間に接続され、
前記第３信号線は、前記第２レシーバに接続されている請求項１記載のアンテナ装置。
【請求項３】
前記第１信号線は第１コイルを有し、前記出力機器本体の第１音響信号用端子に対して前記第１コイルよりもインダクタンスの大きい第２コイルを介して接続され、及び、前記出力機器本体のアンテナ端子に対して第１コンデンサを介して接続され、
前記第２信号線は第３コイルを有し、前記出力機器本体の第２音響信号用端子に対して前記第３コイルよりもインダクタンスの大きい第４コイルを介して接続され、及び、前記アンテナ端子に対して第２コンデンサを介して接続され、
前記第３信号線は、前記ケーブル部が備える同軸ケーブルを介して前記アンテナ端子に対して接続される請求項２記載のアンテナ装置。
【請求項４】
前記第１信号線から前記アンテナ端子へは７６ＭＨｚ以上１０８ＭＨｚ以下の高周波信号が伝送され、
前記第２信号線から前記アンテナ端子へは１７０ＭＨｚ以上２２２ＭＨｚ以下の高周波信号が伝送され、
前記第３信号線から前記アンテナ端子へは４７０ＭＨｚ以上７７０ＭＨｚ以下の高周波信号が伝送されるように構成されている請求項２又は３記載のアンテナ装置。
【発明の詳細な説明】
【技術分野】
【０００１】
本発明は、チューナを備えた出力機器本体で生成された音響信号を、ケーブル部を介してレシーバに伝送し、前記レシーバにて前記音響信号を音響に変換して出力する音響出力機器において、前記ケーブル部を用いて電波を受信し、得られた高周波信号を前記出力機器本体に伝送するアンテナ装置に関する。
【背景技術】
【０００２】
携帯電話装置などの音響出力機器にケーブル部を介してレシーバを接続し、そのケーブル部をアンテナとして利用することが提案されている。特許文献１には、携帯電話本体で生成された音響信号を、ケーブル部を介してレシーバに伝送し、そのレシーバにて音響信号を音響に変換して出力すると共に、ケーブル部を用いて電波を受信する構成のアンテナ装置が記載されている。そして、携帯電話本体を鞄の中に収容する場合などには、少なくともケーブル部を鞄の外に出して、レシーバを耳に装着した状態で使用される。その結果、携帯電話本体が鞄の中などに収容されることで、携帯電話本体に内蔵されるアンテナ装置の受信感度が低下してしまったとしても、上記ケーブル部によって外部からの電波が良好に受信されることになる。
【０００３】
【特許文献１】特開平４−２０００４７号公報
【発明の開示】
【発明が解決しようとする課題】
【０００４】
特許文献１に記載のアンテナ装置は、ケーブル部の長さによって受信可能な電波の周波数帯域が限定されるため、携帯電話のような特定の搬送周波数で送信される電波を受信するためには有効である。しかし、特許文献１に記載のアンテナ装置は特定の搬送周波数の電波を受信するために作製されるものであるため、汎用的なアンテナ装置ではない。例えば、ラジオ放送やテレビ放送など複数のチャンネル（搬送周波数）の電波が広い周波数範囲に渡って放送されており、携帯電話装置でその放送電波を受信しようとする場合、特許文献１に記載のアンテナ装置では、その内の一部のチャンネルの電波しか受信できないという問題が発生する。
つまり、今後、ＦＭ放送、アナログテレビ放送、地上波デジタル放送などの幅広い周波数帯域の電波を受信可能なアンテナ装置が求められる状況において、特許文献１に記載の携帯電話装置では、アンテナ装置で受信可能な電波の周波数帯域が特定の帯域に限定されるため、それらの放送を網羅して受信することはできない。
【０００５】
本発明は、上記の課題に鑑みてなされたものであり、その目的は、小型でありながらも、幅広い帯域の放送を受信可能なアンテナ装置を提供する点にある。
【課題を解決するための手段】
【０００６】
上記目的を達成するための本発明に係るアンテナ装置の特徴構成は、チューナを備えた出力機器本体で生成された音響信号を、ケーブル部を介してレシーバに伝送し、前記レシーバにて前記音響信号を音響に変換して出力する音響出力機器において、
前記ケーブル部を用いて電波を受信し、得られた高周波信号を前記出力機器本体に伝送するアンテナ装置であって、
前記ケーブル部は、複数の信号線を組み合わせて構成され、
前記複数の信号線の長さがそれぞれ設定され、前記複数の信号線のそれぞれで受信可能な電波の周波数帯域が調節されている点にある。
【０００７】
上記特徴構成によれば、出力機器本体とレシーバとを接続するケーブル部を備え、そのケーブル部を構成する複数の信号線のそれぞれの長さを設定することで、各信号線で受信可能な電波の周波数帯域を調節した状態で、それら複数の信号線をアンテナとして利用できる。その結果、小型でありながらも、幅広い帯域の放送を受信可能なアンテナ装置を提供できる。
【０００８】
本発明に係るアンテナ装置の別の特徴構成は、前記レシーバは、第１レシーバと第２レシーバとで構成され、
前記ケーブル部は、アンテナとして機能し、それぞれ長さが異なる第１信号線と第２信号線と第３信号線とを備えており、
前記第１信号線は、前記出力機器本体と前記第１レシーバとの間に接続され、
前記第２信号線は、前記出力機器本体と前記第２レシーバとの間に接続され、
前記第３信号線は、前記第２レシーバに接続されている点にある。
【０００９】
上記特徴構成によれば、出力機器本体から第１レシーバまでの第１信号線の長さと、出力機器本体から第２レシーバまでの第２信号線の長さと、第２レシーバに接続されている第３信号線の長さとを異ならせることで、第１信号線によって受信可能な電波の周波数帯域と、第２信号線によって受信可能な電波の周波数帯域と、第３信号線によって受信可能な電波の周波数帯域とを異ならせることができる。
【００１０】
本発明に係るアンテナ装置の別の特徴構成は、前記第１信号線は第１コイルを有し、前記出力機器本体の第１音響信号用端子に対して前記第１コイルよりもインダクタンスの大きい第２コイルを介して接続され、及び、前記出力機器本体のアンテナ端子に対して第１コンデンサを介して接続され、
前記第２信号線は第３コイルを有し、前記出力機器本体の第２音響信号用端子に対して前記第３コイルよりもインダクタンスの大きい第４コイルを介して接続され、及び、前記アンテナ端子に対して第２コンデンサを介して接続され、
前記第３信号線は、前記ケーブル部が備える同軸ケーブルを介して前記アンテナ端子に対して接続される点にある。
【００１１】
上記特徴構成によれば、特定の長さの第１信号線が受信した電波に対して第１コイルをローパスフィルタとして作用させ、且つ、第１コンデンサをハイパスフィルタとして作用させることで、第１信号線から出力機器本体のアンテナ端子に伝送される高周波信号の高周波側の周波数及び低周波側の周波数を設定できる。更に、第２コイルを、上記第１コイルよりも低周波側のローパスフィルタとして作用させることで、第１信号線から出力機器本体の第１音響信号用端子へは音響信号よりも高周波数の信号が入力されないようにできる。従って、第１信号線から第１音響信号用端子へは信号が伝送されないようになる。
また、特定の長さの第２信号線が受信した電波に対して第３コイルをローパスフィルタとして作用させ、且つ、第２コンデンサをハイパスフィルタとして作用させることで、第２信号線から出力機器本体のアンテナ端子に伝送される信号の高周波側の周波数及び低周波側の周波数を設定できる。更に、第４コイルを、上記第３コイルよりも低周波側のローパスフィルタとして作用させることで、第２信号線から出力機器本体の第２音響信号用端子へは音響信号よりも高周波数の信号が入力されないようにできる。従って、第２信号線から第２音響信号用端子へは信号が伝送されないようになる。
従って、第１信号線と第２信号線と第３信号線とをアンテナとして用いることで、広い周波数帯域の電波を受信可能なアンテナ装置が得られる。
【００１２】
本発明に係るアンテナ装置の別の特徴構成は、前記第１信号線から前記アンテナ端子へは７６ＭＨｚ以上１０８ＭＨｚ以下の高周波信号が伝送され、
前記第２信号線から前記アンテナ端子へは１７０ＭＨｚ以上２２２ＭＨｚ以下の高周波信号が伝送され、
前記第３信号線から前記アンテナ端子へは４７０ＭＨｚ以上７７０ＭＨｚ以下の高周波信号が伝送されるように構成されている点にある。
【００１３】
上記特徴構成によれば、第１信号線と第２信号線と第３信号線とを備えたケーブル部を用い、第１信号線によってＦＭ放送及びＶＨＦ−Ｌの放送電波（７６ＭＨｚ以上１０８ＭＨｚ以下）を良好に受信でき、第２信号線によってＶＨＦ−Ｈの放送電波（１７０ＭＨｚ以上２２２ＭＨｚ以下）を良好に受信でき、第３信号線によってＵＨＦの放送電波（４７０ＭＨｚ以上７７０ＭＨｚ以下）を良好に受信できるアンテナ装置が得られる。
【発明を実施するための最良の形態】
【００１４】
以下に図面を参照して本発明のアンテナ装置の構成について説明する。
図１は、本発明のアンテナ装置が設けられた音響出力機器としての携帯電話装置１の外観図である。図２は、携帯電話本体２と第１レシーバ１０及び第２レシーバ１２との間のケーブル部４の電気回路図である。本発明のアンテナ装置は、チューナ２２を備えた出力機器本体としての携帯電話本体２で生成された音響信号を、ケーブル部４を介してレシーバ（第１レシーバ１０及び第２レシーバ１２）に伝送し、レシーバにて音響信号を音響に変換して出力する携帯電話装置１において、ケーブル部４を用いて電波を受信し、得られた高周波信号を携帯電話本体２に伝送するように構成されている。
【００１５】
図１及び図２に示すように、アンテナ装置はケーブル部４を用いて構成され、ケーブル部４は、端部に設けられたピン部５と中間ケーブル６とマイクハウジング７と第１ケーブル１１及び第１レシーバ１０と第２ケーブル１３及び第２レシーバ１２とを備える。そして、ケーブル部４は、ピン部５を携帯電話本体２のジャック部３に挿入することで携帯電話本体２に接続される。上記マイクハウジング７は、前記第１レシーバ１０に接続される第１ケーブル１１と前記第２ケーブル１３に接続される第２ケーブル１３とに上記中間ケーブル６を分岐する分岐部としても利用される。マイクハウジング７の内部にはマイクロホン８が設けられ、マイクハウジング７に設けられた音孔９から内部に侵入した音はマイクロホン８によって受音される。また、マイクハウジング７には、ハンズフリー通話の際に行われるオンフックやオフフックの切換制御入力を受け付けるスイッチ用端子２０へ、その切換操作を指令するスイッチ２６も設けられている。
【００１６】
図２は、携帯電話本体２と第１レシーバ１０及び第２レシーバ１２との間のケーブル部４の電気回路図である。このケーブル部４は、音響を出力する機能を実現する第１レシーバ１０及び第２レシーバ１２と、音響を入力する機能を実現するマイクロホン８とを備えている。第１レシーバ１０は、第１音響信号用端子１９ａ及びグランド端子１８に接続され、第２レシーバ１２は、第２音響信号用端子１９ｂ及びグランド端子１８に接続される。具体的には、第１レシーバ１０はステレオ音声の右側（Ｒ）音声を出力し、第２レシーバ１２はステレオ音声の左側（Ｌ）音声を出力する。そして、携帯電話本体２から第１音響信号用端子１９ａ及び第２音響信号用端子１９ｂを介して、所定の音響信号が第１レシーバ１０及び第２レシーバ１２に伝送される。また、マイクロホン８からマイクロホン用端子２１を介して、マイクロホン８にて受音した音響が携帯電話本体２に伝送される。マイクロホン８は同軸ケーブル２５を介してマイクロホン用端子２１に接続される。従って、コイルＬ５、Ｌ６、Ｌ１１、Ｌ１２のインダクタンスは、何れも可聴周波数の上限周波数（例えば、約２０ｋＨｚ）を下回る周波数は減衰させず、且つ、その上限周波数を超える周波数を大きく減衰又は遮断させるような値に設定される。また、コイルＬ１、Ｌ４、Ｌ７、Ｌ１０、Ｌ１３も、可聴周波数の上限（例えば、約２０ｋＨｚ）を超える周波数を大きく減衰又は遮断させるような値に設定される。
【００１７】
また、図２に示すようにケーブル部４は、携帯電話本体２２のアンテナ端子１７に接続される複数の信号線を組み合わせて有している。そして、第１信号線１４と第２信号線１５と第３信号線１６とは、長さがそれぞれ設定されている。よって、第１信号線１４と第２信号線１５と第３信号線１６とをアンテナとして用いる場合、それぞれで受信可能な電波の周波数帯域が調節されている。特に、第１信号線１４と第２信号線１５と第３信号線１６とは長さがそれぞれ異なるので、第１信号線１４と第２信号線１５と第３信号線１６とのそれぞれで受信可能な電波の周波数帯域は異なるように調節されている。従って、アンテナ装置から携帯電話本体２のチューナ２２へは、複数の信号線のそれぞれで受信された広い帯域の周波数を有する電波が伝送される。
【００１８】
第１信号線１４、第２信号線１５及び第３信号線１６はモノポールアンテナとして機能する。そして、それぞれの長さは受信する電波の周波数に応じて設定される。具体的には、アンテナの長さは、受信する電波の波長：λに対して１／２波長とすればよい。但し、受信する電波の波長：λは、電波の周波数：ｆ及び真空中の光速度：ｃを用いると、下記の式（１）で表される。
λ＝ｃ／ｆ          ・・・・・（１）
また、信号線中での波長は下記の式（２）により表される。
λｃａｂｌｅ＝λ×ｋ      ・・・・（２）
但し、λｃａｂｌｅは信号線中での波長であり、λは真空中での波長であり、ｋは波長短縮率である。また、波長短縮率：ｋと誘電率：εとの間には、下記の式（３）の関係が成立する。
【００１９】
【数１】
2007089050.tif 000003
【００２０】
従って、例えば誘電率が２．３である信号線を利用して７６ＭＨｚの放送電波を受信したい場合には、アンテナ長を１３０３ｍｍ（＝λｃａｂｌｅ／２）とすることが理想的である。
【００２１】
次に、第１信号線１４、第２信号線１５、及び、第３信号線１６の構成について説明する。
第１信号線１４は、携帯電話本体２と第１レシーバ１０との間に接続され、その長さはｌ１に設定されている。第１信号線１４は、第１レシーバ１０へ音響信号を伝送する第１音響信号線として用いられ、携帯電話本体２の第１音響信号用端子１９ａに接続される。また、第１信号線１４（第１音響信号線）と対をなすグランド線２３は、同軸ケーブル２４に接続される。
また、第１信号線１４は、マイクハウジング７内で第１コイル（コイルＬ９）を有している。よって、この第１コイル（コイルＬ９）は、第１信号線１４で受信された電波に対してローパスフィルタとして作用する。また、第１信号線１４は、携帯電話本体２の第１音響信号用端子１９ａに対して上記第１コイル（コイルＬ９）よりもインダクタンスの大きい第２コイル（コイルＬ３）を介して接続される。よって、この第２コイル（コイルＬ３）は、第１信号線１４で受信された電波に対して、第１コイル（コイルＬ９）よりも低周波側を通過させるローパスフィルタとして作用する。更に、第１信号線１４は、携帯電話本体２のアンテナ端子１７に対して第１コンデンサ（Ｃ１５）を介して接続される。よって、この第１コンデンサ（Ｃ１５）は、第１信号線１４で受信された電波に対してハイパスフィルタとして作用する。
【００２２】
第２信号線１５は、携帯電話本体２と第２レシーバ１２との間に接続され、その長さは、上記第１信号線１４よりも短いｌ２（＜ｌ１）に設定されている。第２信号線１５は、第２レシーバ１２へ音響信号を伝送する第２音響信号線として用いられ、携帯電話本体２の第２音響信号用端子１９ｂに接続される。
具体的には、第２信号線１５は、マイクハウジング７内で第３コイル（コイルＬ８）を有している。よって、この第３コイル（コイルＬ８）は、第２信号線１５で受信された電波に対してローパスフィルタとして作用する。また、第２信号線１５は、携帯電話本体２の第２音響信号用端子１９ｂに対して上記第３コイル（コイルＬ８）よりもインダクタンスの大きい第４コイル（コイルＬ２）を介して接続される。よって、この第４コイル（コイルＬ２）は、第２信号線１５で受信された電波に対して、第３コイル（コイルＬ８）よりも低周波側を通過させるローパスフィルタとして作用する。更に、第２信号線１５は、携帯電話本体２のアンテナ端子１７に対して第２コンデンサ（Ｃ１４）を介して接続される。よって、この第２コンデンサ（Ｃ１４）は、第２信号線１５で受信された電波に対してハイパスフィルタとして作用する。
【００２３】
第３信号線１６は、第２信号線１５（第２音響信号線）と対をなすグランド線により構成され、その長さは上記第２信号線１５よりも短いｌ３（＜ｌ２）に設定されている。そして、第３信号線１６は第２レシーバ１２からマイクハウジング７に引き込まれ、同軸ケーブル２４に接続される。
【００２４】
次に、第１信号線１４を、ＦＭ放送及びＶＨＦ−Ｌの放送電波を受信できるアンテナとして用いる場合の例を説明する。この場合、第１信号線１４は７６ＭＨｚ以上１０８ＭＨｚ以下の周波数帯域の電波を受信できればよい。第１信号線１４の長さは、上述した式（１）、式（２）及び式（３）を用いると、誘電率が２．３である信号線を利用する場合、理想的には１３０３ｍｍ〜９１７ｍｍ（＝λｃａｂｌｅ／２）であることが好ましく、その中間の１１１０ｍｍとしてもよい。
例えば、第１信号線１４の長さを１１１０ｍｍとした場合には、第１信号線１４は、約９２ＭＨｚを中心周波数とし、少なくとも７６ＭＨｚ以上１０８ＭＨｚ以下の周波数を含んだ幅広い周波数の放送電波を受信可能である。そして、第１信号線１４が有する第１コイル（コイルＬ９）のインダクタンスを、１０８ＭＨｚを超える周波数を大きく減衰又は遮断させるような値に調節すれば、携帯電話本体２には１０８ＭＨｚ以下の周波数の高周波信号が選択的に伝送されるようにできる。
【００２５】
また、第２コイル（コイルＬ３）のインダクタンスを、可聴周波数の上限（例えば、約２０ｋＨｚ）を超える周波数を大きく減衰又は遮断させるような値に調節すれば、第１信号線１４から第１音響信号用端子１９ａへは、可聴周波数の上限よりも高周波数の信号が入力されないようにできる。つまり、携帯電話本体２には第１信号線１４から音響信号の入力を行わないことを考慮すると、第１信号線１４から第１音響信号用端子１９ａへは信号が伝送されないようになる。
そして、第１コンデンサ（Ｃ１５）のキャパシタンスを、７６ＭＨｚ未満の周波数を大きく減衰又は遮断させるような値に調節すれば、アンテナ端子１７には７６ＭＨｚ以上１０８ＭＨｚ以下の周波数の高周波信号が選択的に伝送されることになる。従って、第１信号線１４を、ＦＭ放送及びＶＨＦ−Ｌの放送電波を受信できるアンテナ、つまり、７６ＭＨｚ以上１０８ＭＨｚ以下の周波数帯域の電波を選択的に受信できるアンテナとして機能させることができる。
【００２６】
また、第２信号線１５を、ＶＨＦ−Ｈの放送電波を受信できるアンテナとして用いる場合、第２信号線１５は１７０ＭＨｚ以上２２２ＭＨｚ以下の周波数帯域の電波を受信できればよい。第２信号線１５の長さは、上述した式（１）、式（２）及び式（３）を用いると、誘電率が２．３である信号線を利用する場合、理想的には５８２ｍｍ〜４４６ｍｍ（＝λｃａｂｌｅ／２）であることが好ましく、その中間の５１４ｍｍとしてもよい。
例えば、第２信号線１５の長さを５１４ｍｍとした場合には、第２信号線１５は、約１９６ＭＨｚを中心周波数とし、少なくとも１７０ＭＨｚ以上２２２ＭＨｚ以下の周波数を含んだ幅広い周波数の放送電波を受信可能である。そして、第２信号線１５が有する第３コイル（コイルＬ８）のインダクタンスを、２２２ＭＨｚを超える周波数を大きく減衰又は遮断させるような値に調節すれば、携帯電話本体２には２２２ＭＨｚ以下の周波数の高周波信号が選択的に伝送されるようにできる。
【００２７】
また、第２コイル（コイルＬ３）のインダクタンスを、可聴周波数の上限（例えば、約２０ｋＨｚ）を超える周波数を大きく減衰又は遮断させるような値に調節すれば、第２信号線１５から第２音響信号用端子１９ｂへは、可聴周波数の上限よりも高周波数の信号が入力されないようにできる。つまり、携帯電話本体２には第２信号線１５から音響信号の入力を行わないことを考慮すると、第２信号線１５から第２音響信号用端子１９ｂへは信号が伝送されないようになる。
そして、第２コンデンサ（Ｃ１４）のキャパシタンスを、１７０ＭＨｚ未満の周波数を大きく減衰又は遮断させるような値に調節すれば、アンテナ端子１７には１７０ＭＨｚ以上２２２ＭＨｚ以下の周波数の高周波信号が選択的に伝送されることになる。従って、第２信号線１５を、ＶＨＦ−Ｈの放送電波を受信できるアンテナ、つまり、１７０ＭＨｚ以上２２２ＭＨｚ以下の周波数帯域の電波を選択的に受信できるアンテナとして機能させることができる。
【００２８】
更に、第３信号線１６を、ＵＨＦの放送電波を受信できるアンテナとして用いる場合、第３信号線１６は４７０ＭＨｚ以上７７０ＭＨｚ以下の周波数帯域の電波を受信できればよい。第３信号線１６の長さは、上述した式（１）、式（２）及び式（３）を用いると、誘電率が２．３である信号線を利用する場合、理想的には２１１ｍｍ〜１２９ｍｍ（＝λｃａｂｌｅ／２）であることが好ましく、その中間の１７０ｍｍとしてもよい。
例えば、第３信号線１６の長さを１７０ｍｍとした場合には、第３信号線１６は、６２０ＭＨｚを中心周波数とし、少なくとも４７０ＭＨｚ以上７７０ＭＨｚ以下の周波数を含んだ幅広い周波数の放送電波を受信可能である。従って、第３信号線１６を、ＵＨＦの放送電波を受信できるアンテナ、つまり、４７０ＭＨｚ以上７７０ＭＨｚ以下の周波数帯域の電波を選択的に受信できるアンテナとして機能させることができる。
【００２９】
＜別実施形態＞
＜１＞
上記実施形態では、第２レシーバ１２に接続されているグランド線を本発明のアンテナ（第３信号線）として用いたが、他の配線をアンテナとして用いてもよい。例えば、第１レシーバ１０に接続されているグランド線を本発明のアンテナ（第３信号線）として用いてもよい。但し、第３信号線の長さは、第１信号線及び第２信号線の長さとは異ならせる必要がある。
【００３０】
＜２＞
上記実施形態では、音響出力機器として携帯電話装置を例示したが、他の装置であってもよい。例えば、音響出力機器としてラジオ及びテレビ受信装置を用いてもよい。
【００３１】
＜３＞
上記実施形態では、アンテナとしての第１信号線、第２信号線及び第３信号線の長さと、それらで受信する放送電波の周波数範囲について例示したが、各信号線の長さと受信する放送電波の周波数範囲については適宜改変可能である。
【産業上の利用可能性】
【００３２】
本発明のアンテナ装置は、ＦＭ放送、アナログテレビ放送、地上波デジタル放送などの放送電波を網羅して受信するために利用可能である。
【図面の簡単な説明】
【００３３】
【図１】アンテナ装置が設けられた音響出力機器の外観図
【図２】携帯電話本体と第１レシーバ及び第２レシーバとの間の電気回路図
【符号の説明】
【００３４】
１  携帯電話装置（音響出力機器）
２  携帯電話本体（出力機器本体）
４  ケーブル部
１０  第１レシーバ
１２  第２レシーバ
１４  第１信号線
１５  第２信号線
１６  第３信号線
１７  アンテナ端子
１９ａ  第１音響信号用端子
１９ｂ  第２音響信号用端子
２２  チューナ
２４  同軸ケーブル
Ｌ２  第４コイル
Ｌ３  第２コイル
Ｌ８  第３コイル
Ｌ９  第１コイル
Ｃ１４  第２コンデンサ
Ｃ１５  第１コンデンサ
【図１】
2007089050.tif 000004
【図２】
2007089050.tif 000005